(57)【要約】【課題】従来の換気口カバーと同様に壁面汚れの防止機能を備えながらも小型化できる換気口カバーを提供する。【解決手段】建物の壁に形成された通気孔Ｈに差し込む差込筒１２を有するベース部１０と、ベース部１０の前方に位置するフェイス部２０とを備え、フェイス部２０は、ベース部１０と対向する前壁部２２と、前壁部２２と交差する側面部に形成され、通気孔Ｈとフェイス部２０の外部とを連通する通気開口２１と、外縁３１が前壁部２２の内側に位置して内縁３２がベース部１０と前壁部２２との間に位置し、通気開口２１に向かう傾斜面３４を有する整流フィン３０と、整流フィン３０とベース部１０との間に設けられ、差込筒３から吹き出す気流を整流フィン３０の傾斜面３４に誘導する誘導面４１を有する複数の風向誘導壁４０とを備える。換気口カバーの小型化を実現しつつ、気流を壁面Ｗに沿わないようにして、壁面汚れを防止することができる。【選択図】図５
2020003101.tif 000002
【特許請求の範囲】
【請求項１】
建物の壁に形成された通気孔に差し込む差込筒を有するベース部と、
前記ベース部の前方に位置するフェイス部とを備える換気口カバーにおいて、
前記フェイス部は、
前記ベース部と対向する前面部と、
前記前面部と交差する側面部に形成され、前記通気孔と前記フェイス部の外部とを連通する通気開口と、
外縁が前記前面部の内側に位置して内縁が前記ベース部と前記前面部との間に位置し、前記通気開口に向かう傾斜面を有する整流フィンと、
前記整流フィンと前記ベース部との間に設けられ、前記差込筒から吹き出す気流を前記整流フィンの前記傾斜面に誘導する誘導面を有する複数の風向誘導壁とを備えることを特徴とする換気口カバー。
【請求項２】
前記フェイス部は、前記整流フィンと前記前面部の内面との間を流れる気流を前記外部に吹き出すスリットを有する
請求項１記載の換気口カバー。
【請求項３】
前記スリットは、前記整流フィンと前記前面部の内面との間に設けた開口である
請求項２記載の換気口カバー。
【請求項４】
前記スリットは、前記前面部に開口する孔である
請求項２記載の換気口カバー。
【請求項５】
前記整流フィンの前記内縁は、前記差込筒の筒端と対応する形状である
請求項１〜請求項４いずれか１項記載の換気口カバー。
【請求項６】
前記風向誘導壁は、前記整流フィンの前記傾斜面に設けられる
請求項１〜請求項５いずれか１項記載の換気口カバー。
【請求項７】
前記フェイス部は、隣接する一対の前記風向誘導壁における前記誘導面の間に前記フェイス部から特定の一方向に吹き出す通気路を有する
請求項１〜請求項６いずれか１項記載の換気口カバー。
【請求項８】
前記前面部は、外縁に入隅部を有し、前記誘導面は、前記入隅部に対応して配置される
請求項１〜請求項７いずれか１項記載の換気口カバー。
【請求項９】
前記通気開口と前記スリットとを一連で塞ぐ蓋を有する
請求項２〜請求項４いずれか１項記載の換気口カバー。
【発明の詳細な説明】
【技術分野】
【０００１】
本発明は換気口カバーに関し、特に建物の壁面に開口する通気孔に取り付けられる換気口カバーに関する。
【背景技術】
【０００２】
建物の内外を貫通するように壁に形成されており、建物の内部空間を換気するための通気孔の開口端には、風雨等の異物の侵入を阻止する換気口カバーが取り付けられている（一例として特許文献１参照）。しかしながら、外壁は、換気口カバーから吹き出す気流に曝されて汚れてしまうことがある。これに対し、特許文献１の換気口カバーは、通気孔に向けて突出する錐形状となっており下端側に通気孔と屋外とを連通する通気開口を有するドーム部と、ドーム部の斜面に沿って通気開口に向かう通気路の上側を閉塞する整流部とを備えている。これによって、換気口カバーは、通気路の上側に生じる乱流を抑え、通気開口から出される気流を外壁から離間するように流して壁面汚れを防止するようにしている。
【先行技術文献】
【特許文献】
【０００３】
【特許文献１】特許５４７６４５７号公報、段落００１９−００２４、図３−図６
【発明の概要】
【発明が解決しようとする課題】
【０００４】
しかしながら、特許文献１の換気口カバーでは錐形状のドーム部によって構造が大型化してしまい、小型の換気口カバーが求められる建物については適さないことがある。
【０００５】
以上のような従来技術を背景になされたのが本発明である。本発明の目的は、従来の換気口カバーと同様に壁面汚れの防止機能を備えながらも小型化できる換気口カバーを提供することにある。
【課題を解決するための手段】
【０００６】
上記目的を達成すべく本発明は、以下の特徴を有するものとして構成される。
【０００７】
すなわち、本発明は、建物の壁に形成された通気孔に差し込む差込筒を有するベース部と、前記ベース部の前方に位置するフェイス部とを備える換気口カバーについて、前記フェイス部は、前記ベース部と対向する前面部と、前記前面部と交差する側面部に形成され、前記通気孔と前記フェイス部の外部とを連通する通気開口と、外縁が前記前面部の内側に位置して内縁が前記ベース部と前記前面部との間に位置し、前記通気開口に向かう傾斜面を有する整流フィンと、前記整流フィンと前記ベース部との間に設けられ、前記差込筒から吹き出す気流を前記整流フィンの前記傾斜面に誘導する誘導面を有する複数の風向誘導壁とを備えることを特徴とする。
【０００８】
本発明によれば、フェイス部が、通気開口に向かう傾斜面を有する整流フィンを備えるので、差込筒からフェイス部に流れてくる気流を、整流フィンの傾斜面に沿わせて流すことができる。そして、整流フィンの外縁がフェイス部の前面部の内側に位置しているので、傾斜面に沿って流れる気流を、通気開口からフェイス部の外部に、傾斜面に沿って建物の壁面から遠ざかる方向に吹き出させることができる。他方で、整流フィンの内縁は、フェイス部の前面部の内側から伸長して前面部とベース部との間に収まるように位置するので、ドーム部が錐形状の従来技術と異なり、換気口カバーを小型化することができる。さらに、フェイス部が風向誘導壁を備えるので、差込筒からフェイス部に流れてくる気流を風向誘導壁に沿わせて流すことで、整流フィンに受け流すことができる。このように、本発明によれば、換気口カバーから吹き出す気流を、建物の壁面から遠ざけるように吹き出させることができる。よって、換気口カバーの周辺位置において、粉塵や油煙等の混入した気流が接触することによって生じる壁面汚れを防止することができる。
【０００９】
前記フェイス部は、前記整流フィンと前記前面部の内面との間を流れる気流を前記外部に吹き出すスリットを有するように構成できる。
【００１０】
本発明によれば、整流フィンと前面部の内面との間がスリットによってフェイス部の外部に開口している。したがって、整流フィンと前面部の内面との間に流れ込む気流を、スリットを通じてフェイス部の外部に排出できるため、圧力損失を低減させることができ、換気性能を向上させることができる。
【００１１】
前記スリットは、前記整流フィンと前記前面部の内面との間に設けた開口として構成できる。
【００１２】
本発明によれば、スリットが整流フィンと前面部の内面との間における開口として設けられているので、特に整流フィンの外縁において渦や乱流等を生じさせる角部や段差等が存在しない構成とすることができる。したがって、スリットから吹き出す気流を傾斜面に沿った揃った流れとすることができる。
【００１３】
前記スリットは、前記前面部に開口する孔として構成できる。
【００１４】
本発明によれば、スリットをなす孔がフェイス部の前面部に開口しているので、フェイス部の前面部から気流を吹き出すことができる。よって本発明によれば建物の壁面から遠ざけるように気流を吹き出すことができる。
【００１５】
前記整流フィンの前記内縁は、前記差込筒の筒端と対応する形状であるように構成できる。
【００１６】
本発明によれば、整流フィンの内縁が差込筒の筒端と対応する形状であるので、差込筒からフェイス部に流れ込む気流を、整流フィンの内縁から傾斜面へと効果的に誘導することができる。
【００１７】
前記風向誘導壁は、前記整流フィンの前記傾斜面に設けられるように構成できる。
【００１８】
本発明によれば、風向誘導壁が整流フィンの傾斜面に設けられているので、周囲の構造や気流等の影響を受けることなく、風向誘導壁に沿わせた気流を速やかに整流フィンに受け流すことができる。
【００１９】
前記フェイス部は、隣接する一対の前記風向誘導壁における前記誘導面の間に前記フェイス部から特定の一方向に吹き出す通気路を有するように構成できる。
【００２０】
本発明によれば、フェイス部が隣接する一対の風向誘導壁におけるそれぞれの誘導面の間にフェイス部から特定の一方向に吹き出す通気路を有するので、気流を通気路から、フェイス部を中心とする特定の一方向に安定して吹き出すことができる。
【００２１】
前記前面部は、外縁に入隅部を有し、前記誘導面は、前記入隅部に対応して配置されるように構成できる。
【００２２】
本発明によれば、フェイス部の前面部が角型の場合には、フェイス部の角に当たる入隅部と誘導面との位置を対応させることで、気流が入隅部に向かうことを抑制し、入隅部において乱流が発生することを防ぐことができる。よって、フェイス部の前面部が角型であっても、気流を安定させることができる。
【００２３】
前記本発明は、前記通気開口と前記スリットとを一連で塞ぐ蓋を有するように構成できる。
【００２４】
本発明によれば、換気口カバーにおける所望の方向の通気を容易に遮断することができる。これによって、通気を遮断した方向については、気流が壁面と接触しないため、壁面汚れを防止することができる。そして、換気口カバーは、通気開口とスリットとを塞いだ場合でも、塞がっていない他の通気開口及びスリットを通じてフェイス部の外部に気流を排出できるため、乱流が発生することを防ぐことができる。さらに、１つの蓋が通気開口と、スリットとを対で塞ぐように構成されているので、部品点数を減らすことができる。
【発明の効果】
【００２５】
本発明の換気口カバーによれば、整流フィンと風向誘導壁による気流の風向制御によって、気流に起因した建物の壁の汚損と換気性能の低下を防ぎつつ、従来技術よりも換気口カバーを小型化できる。
【図面の簡単な説明】
【００２６】
【図１】本発明の第１実施形態による角型グリルの正面、右側面、底面を含む外観斜視図。
【図２】図１の角型グリルの背面図。
【図３】図１の角型グリルの底面図。
【図４】図２のＩＶ−ＩＶ線断面図。
【図５】図２のＶ−Ｖ線断面図。
【図６】図１の角型グリルにおけるフェイス部の背面図。
【図７】図１の角型グリル及び蓋の正面、右側面、底面を含む外観斜視図。
【図８】図７の上下蓋の外観図で、分図（ａ）はその背面、左側面、底面を含む外観斜視図、分図（ｂ）は側面図。
【図９】図７の左右蓋の外観図で、分図（ａ）はその背面、左側面、底面を含む外観斜視図、分図（ｂ）は側面図。
【図１０】本発明の第２実施形態による丸型ベントキャップの正面、右側面、底面を含む外観斜視図。
【図１１】図１０の丸型ベントキャップの底面図。
【図１２】図１１のＸＩＩ−ＸＩＩ線断面図。
【図１３】図１２のＸＩＩＩ−ＸＩＩＩ線断面図。
【図１４】図１の角型グリルが適用された給気電動シャッタの外観図で、分図（ａ）はその正面図、分図（ｂ）はその右側面図、分図（ｃ）はその底面図。
【図１５】図１の角型グリルの比較例１による気流のシミュレーション結果を示す説明図で、分図（ａ）はその正面図、分図（ｂ）はその側面図、分図（ｃ）はその平面図。
【図１６】図１の角型グリルの実施例１による気流のシミュレーション結果を示す説明図で、分図（ａ）はその正面図、分図（ｂ）はその側面図、分図（ｃ）はその平面図。
【図１７】図１の角型グリルの実施例２による気流のシミュレーション結果を示す説明図で、分図（ａ）はその正面図、分図（ｂ）はその側面図、分図（ｃ）はその平面図。
【図１８】図１０の丸型ベントキャップの比較例２による気流のシミュレーション結果を示す説明図で、分図（ａ）はその正面図、分図（ｂ）はその側面図、分図（ｃ）はその平面図。
【図１９】図１０の丸型ベントキャップの実施例３による気流のシミュレーション結果を示す説明図で、分図（ａ）はその正面図、分図（ｂ）はその側面図、分図（ｃ）はその平面図。
【図２０】図１０の丸型ベントキャップの実施例４による気流のシミュレーション結果を示す説明図で、分図（ａ）はその正面図、分図（ｂ）はその側面図、分図（ｃ）はその平面図。
【発明を実施するための形態】
【００２７】
以下、本発明の実施形態について図面を参照しつつ説明する。本明細書及び特許請求の範囲では、便宜上、図１等に示されるように、本発明の「換気口カバー」の一実施形態としての角型グリル１の正面における左右方向をＸ方向、正面を前とし背面を後とする前後方向をＹ方向、高さ方向をＺ方向として記載する。
【００２８】
第１実施形態〔図１〜図９〕
【００２９】
以下、本発明の「換気口カバー」の第１実施形態としての角型グリル１について図面を参照しつつ説明する。ここでは、角型グリル１が屋内に取り付けられる例について記載し、Ｙ方向については前側を建物の内部空間（屋内）側とし、後側を屋外側として説明する。しかしながら、これらの記載は、角型グリル１の使用方法や取付け場所等を限定するものではない。
【００３０】
角型グリル１
【００３１】
角型グリル１は、建物の壁等に形成された通気孔Ｈ（図４及び図５参照）に取り付けられるものである。角型グリル１は、例えば屋外の空気を取り入れて建物の内部空間の換気を行うために屋内に設けられる。角型グリル１は、図１等で示すように、ベース部１０と、フェイス部２０とを備えている。
【００３２】
ベース部１０は、通気孔Ｈに対応して角型グリル１を建物の壁等に取り付けるとともに、通気孔Ｈから連通する通気路２を開閉するための部材等を取り付けるための部位である。ベース部１０は、背面板１１と、差込筒１２とを有している。角型グリル１の背面板１１は、ＸＺ平面に沿って伸長し、正面視で長方形状の板面を有する平板状に形成されている。背面板１１は、角型グリル１が壁等に取り付けられた際に、背面側が通気孔Ｈの開口端よりも径方向外方の壁面Ｗ（図４及び図５参照）と接する部分である。背面板１１は、図２で示すように、Ｚ方向に比べてＸ方向に僅かに長く、Ｚ方向における上下がそれぞれ僅かに外方に向かって湾曲している。そして、背面板１１には、Ｙ方向に板面を貫通する円形状の開口部１３が形成されている。開口部１３は、正面視で長方形状の背面板１１と互いに同芯とされている。
【００３３】
差込筒１２は、ベース部１０の開口部１３の周縁である「筒端」を起点としてＹ方向における後方に突出する円筒状に形成されている。差込筒１２は、通気孔Ｈに差し込まれる部位である。差込筒１２は、一端が開口部１３に連通しており、ベース部１０の正面側においてＹ方向における前方に向かって開口している。他方で、差込筒１２は、ベース部１０のＹ方向における後端においてＹ方向における後方に向かって開口している。したがって、差込筒１２の内部（円筒状の内周側）には、一端と他端との間に伸長する円柱状の空間である通気路２が形成されている。このように、通気路２は、Ｙ方向における前後において同一の円形断面の空間形状を有している。しかしながら、通気路２は、例えば多角形断面であったり、Ｙ方向における前方と後方とで断面積が異なったりするような空間形状として構成されていても良い。
【００３４】
開口部１３の上端及び下端には、ベース部１０の正面からＸＹ平面に沿ってＹ方向における前方に向かってそれぞれ突出する翼体取付板１４、１４が形成されている。翼体取付板１４、１４は、双方ともＹ方向に比べてＸ方向により長い矩形状の板面を有する平板状に形成されている。そして、上下の翼体取付板１４、１４は、平面視（Ｚ方向）で重なるように位置している。
【００３５】
ベース部１０には、左右で一対の翼体１５が取り付けられている。一対の翼体１５は、通気路２を開閉する機能を有している。一対の翼体１５は、双方とも平板状に形成されており、各々の板面は、半円形状とされている。翼体１５は、上下両端がそれぞれ翼体取付板１４、１４に回転可能に取り付けられている。その際に、一対の翼体１５は、双方とも、半円形状の弦（半円形状の略直径に相当）がＺ方向に沿い、半円形状の円弧の側が回転するように配置されている。すなわち、一対の翼体１５は、正面視で差込筒１２の中心を通ってＺ方向に伸長する差込筒１２の直径を対称軸として線対称に配置されている。
【００３６】
一対の翼体１５は、差込筒１２のＹ方向における前端付近、すなわち開口部１３の付近の通気路２に位置している。そして、一対の翼体１５は、双方とも、円弧の側が最も前側に回転する閉位置で通気路２（開口部１３）の断面空間を全て塞ぐように構成されている。すなわち、角型グリル１は、円形の断面形状を有する通気路２（開口部１３）を一対の翼体１５によって閉塞することができる。
【００３７】
なお、ベース部１０には、一対の翼体１５を閉位置に常時付勢する図示せぬねじりコイルばねや、翼体１５を開状態に回転駆動する図示せぬモータ等の開閉機構が取り付けられている。
【００３８】
フェイス部２０は、通気孔Ｈとの対向位置でベース部１０の開口部１３と対向して位置することで、差込筒１２の内部を通過した気流の進行方向を変えるための部位である。フェイス部２０は、「前面部」と、通気開口２１と、整流フィン３０と、風向誘導壁４０とを備えている。これらの構成を有するフェイス部２０は、角型グリル１から排出する気流を壁面Ｗに沿わないようにしながら、換気性能を向上させることができる。よって、角型グリル１は、その周辺位置において、粉塵や油煙等の混入した気流との接触を起因とする壁面汚れを防止することができる。
【００３９】
フェイス部２０は、図１等で示すように、Ｙ方向における後方が開放した箱状に形成されている。「前面部」を形成する前壁部２２は、角型グリル１のＹ方向における前端に位置している。前壁部２２は、ベース部１０の背面板１１と同様に、ＸＺ平面に沿って伸長し、正面視で長方形状の板面を有する平板状に形成されている。すなわち、前壁部２２は、外周に入隅部２３を有している（図６参照）。前壁部２２は、開口部１３の全面を覆う広がりを有している。前壁部２２は、通気孔Ｈと対向するようにベース部１０のＹ方向における前方に位置している。そして、前壁部２２は、正面視で背面板１１よりも一回り小さな寸法で形成されている。
【００４０】
前壁部２２と交差する「側面部」には、上壁部２４と、側壁部２５、２５と、下壁部２６とが形成されている。上壁部２４及び下壁部２６は、前壁部２２の上下端からそれぞれＸＹ平面に沿って伸長し、平（底）面視でＹ方向に比べてＸ方向により長い長方形状の板面を有する平板状に形成されている。側壁部２５、２５は、前壁部２２の左右端からそれぞれＹＺ平面に沿って伸長し、側面視でＹ方向に比べてＺ方向により長い長方形状の板面を有する平板状に形成されている。そして、フェイス部２０は、上壁部２４、側壁部２５、２５及び下壁部２６のＹ方向における後端と背面板１１の外辺とが連結するようにしてベース部１０と嵌合するように構成されている。
【００４１】
上壁部２４、側壁部２５、２５及び下壁部２６には、それぞれ通気開口２１、２１、２１、２１が形成されている。通気開口２１、２１、２１、２１は、通気孔Ｈとフェイス部２０の外部とを連通している。通気開口２１、２１、２１、２１は、前壁部２２と交差する「側面部」としての上壁部２４、側壁部２５、２５及び下壁部２６に形成されることで、差込筒１２の内部を通過した気流の進行方向を変えることができる。より具体的には、通気開口２１、２１、２１、２１は、通気孔Ｈ及び差込筒１２を介してＹ方向における前方に向かってフェイス部２０に進行してきた気流をＸ方向における左右（図５参照）及びＺ方向における上下（図４参照）に向かうように変えることができる。したがって、角型グリル１は、差込筒１２を通過した空気が角型グリル１の上下左右に抜けるようにして屋内に導入されるように構成されている。
【００４２】
通気開口２１、２１、２１、２１は、前壁部２２との境界、すなわち、上壁部２４、側壁部２５、２５及び下壁部２６のそれぞれのＹ方向における前端からＹ方向における後方に向かって伸長して形成されている。通気開口２１、２１、２１、２１は、いずれもＹ方向において、それぞれ上壁部２４、側壁部２５、２５及び下壁部２６の長さの半分以上を占める領域に形成されている。
【００４３】
通気開口２１、２１、２１、２１は、上壁部２４、側壁部２５、２５及び下壁部２６のＹ方向における後側の位置には形成されていない。すなわち、上壁部２４、側壁部２５、２５及び下壁部２６は、Ｙ方向における後側の位置に非開口部２７、２７、２７、２７を有している（図１及び図３〜図５参照）。したがって、通気開口２１、２１、２１、２１は、角型グリル１が建物の壁等に取り付けられた際には、壁面Ｗから離れた配置とされている。よって、角型グリル１は、通気開口２１を通過した気流が角型グリル１の周囲の壁面Ｗには当たりにくく、壁面汚れが生じにくく構成されている。
【００４４】
上壁部２４及び下壁部２６は、Ｙ方向における後方に向かってＸ方向における長さが漸増するように構成されている。これに対し、上壁部２４及び下壁部２６にそれぞれ形成されている通気開口２１、２１は、Ｙ方向における後方に向かってＸ方向における長さが漸減するように構成されている。同様に、側壁部２５、２５は、Ｙ方向における後方に向かってＺ方向における長さが漸増するように構成されている。これに対し、側壁部２５、２５にそれぞれ形成されている通気開口２１、２１は、Ｙ方向における後方に向かってＺ方向における長さが漸減するように構成されている。通気開口２１、２１、２１、２１は、このように構成されることによって、Ｙ方向における後方よりも前方においてより多くの風量で気流を通過させることができる。
【００４５】
整流フィン３０は、丸屋根の水平上部（頂部）が欠如した形状の板状部材によって構成されている。整流フィン３０は、気流の進行方向の角度を調整する機能を有している。整流フィン３０は、図３〜図５で示すように、開口部１３、すなわちＹ方向における後方に向かって突出するように配置されている。整流フィン３０は、図６で示すように、背面視で外周側の外縁３１と、内周側の内縁３２との間で伸長している。そして、外縁３１は、前壁部２２の内側、すなわち背面側に位置しており、内縁３２は、ベース部１０と前壁部２２との間に位置している（図４及び図５参照）。
【００４６】
角型グリル１は、正面視において、前壁部２２が長方形状であるのに対し、差込筒１２が円形である。このため、整流フィン３０は、図６で示すように、正（背）面視において、外縁３１が、前壁部２２に対応して長方形状とされ、内縁３２が、差込筒１２に対応する形状として円形とされている。このように、整流フィン３０の内縁３２が差込筒１２の「筒端」と対応する形状であるので、差込筒１２からフェイス部２０に流れ込む気流を整流フィン３０の内縁３２から傾斜面３４へと効果的に誘導することができる。例えば、フェイス部２０の裏面には、図２で示すように、背面視でベース部１０の開口部１３よりも一回り小さい内縁３２の内周側に開口した開口部３３が形成されている。このような構成によれば、例えば差込筒１２の内部空間において通気路２の外周側を進行する気流を整流フィン３０にぶつけることによって、そのまま整流フィン３０に沿わせて通気開口２１から排出させるように受け流すことができる。
【００４７】
仮に、フェイス部２０が、整流フィン３０とは異なり、丸屋根の頂部も有するドーム状の構成を備えている場合、すなわち、内縁３２に相当する構成を備えていない場合には、頂部がベース部１０の側により突出してしまうため、装置がより大型化してしまう。これに対し、内縁３２を有する整流フィン３０を備えるフェイス部２０は、少なくとも頂部が欠如している分だけＹ方向における長さが短くなる。したがって、フェイス部２０は、前壁部２２の内側から伸長する整流フィン３０の内縁３２を前壁部２２とベース部１０との間に収まるように位置させることが容易な構成であり、角型グリル１をより小型化することができる。
【００４８】
整流フィン３０は、通気開口２１、２１、２１、２１に向かう傾斜面３４を有している。傾斜面３４は、図４、図５等で示すように、内縁３２から外縁３１に向かってＹ方向における前方に傾斜している。すなわち、傾斜面３４は、Ｙ方向における後方に向かって突出するように湾曲した形状を有している。傾斜面３４は、通気開口２１に近づくほど、曲率がより大きくなるように形成されている。そして、傾斜面３４の先には、通気開口２１、２１、２１、２１が位置している。
【００４９】
したがって、フェイス部２０が、通気開口２１、２１、２１、２１に向かう傾斜面３４を有する整流フィン３０を備えるので、気流を整流フィン３０の傾斜面３４に沿わせることができる。そして、整流フィン３０の外縁３１が前壁部２２の内側に位置しているので、傾斜面３４に沿った気流を通気開口２１、２１、２１、２１からフェイス部２０の外部に排出する際には、傾斜面３４に沿って壁面Ｗから遠ざかる方向に吹き出させることができる。図４及び図５において、二点鎖線の矢印によって気流の方向を示している。
【００５０】
風向誘導壁４０は、前壁部２２の背面側の領域において、ベース部１０、すなわちＹ方向における後方に向かって突出するように設けられた板状部材である。風向誘導壁４０は、誘導面４１を有している。そして、風向誘導壁４０の誘導面４１は、差込筒１２から吹き出す気流を整流フィン３０の傾斜面３４に誘導する機能を有している。
【００５１】
風向誘導壁４０は、図６等で示すように、整流フィン３０の上（背面）に設けられている。風向誘導壁４０が整流フィン３０に直結しているので、周囲の構造や気流等の影響を受けることなく、風向誘導壁４０に沿った流れとなって安定した気流を速やかに整流フィン３０に受け流すことができる。風向誘導壁４０は、背面視で板面が四半円弧状に湾曲しており、その外面の側が誘導面４１である。そして、誘導面４１は、背面視でフェイス部２０の中心側に面している。誘導面４１は、一端及び他端がそれぞれ隣り合う通気開口２１、２１の方向に伸長するように配置されている。そして、一端と他端との中間の部位が整流フィン３０の内縁３２の付近に配置されている。すなわち、誘導面４１は、整流フィン３０の内縁３２の側から隣り合う通気開口２１、２１の側に向かってそれぞれ伸長している。
【００５２】
前壁部２２に対して交差する方向からみると、風向誘導壁４０の外形は、Ｙ方向に伸長する通気開口２１の外辺と略平行となっている（図３〜図５参照）。この構成によって、風向誘導壁４０にぶつかった気流は、背面視で、風向誘導壁４０から離れる方向に流れやすくなっている。
【００５３】
整流フィン３０には、図６等で示すように、例えば長方形状の前壁部２２の入隅部２３に対応して複数、ここでは４つの風向誘導壁４０、４０、４０、４０が配置されている。すなわち、４つの風向誘導壁４０、４０、４０、４０のそれぞれは、誘導面４１とは反対側である裏面が前壁部２２（整流フィン３０）の入隅部２３と対向するように配置されている。そして、隣り合う一対の風向誘導壁４０、４０におけるそれぞれの誘導面４１、４１の間には、フェイス部２０から特定の一方向に吹き出す通気路３が形成されている。
【００５４】
隣り合う一対の風向誘導壁４０、４０は、それぞれ前壁部２２の入隅部２３に対応して配置されており、かつ各々の誘導面４１、４１は、一端及び他端がそれぞれ隣り合う通気開口２１、２１の方向に伸長している。したがって、通気路３は、前壁部２２の入隅部２３を避けるようにして内縁３２から通気開口２１に向かってその幅が漸減して絞られるように形成されている。
【００５５】
このように、フェイス部２０の前壁部２２が角型の場合には、誘導面４１と入隅部２３との位置を対応させることで、気流が入隅部２３に向かうことを抑制し、気流が入隅部２３を通過しないことで、入隅部２３での乱流の発生を防ぐことができる。さらに、フェイス部２０においては、通気路３の幅が気流の進行方向で絞られることによって気流の方向性を調整することができる。よって、角型グリル１は、角型の前壁部２２であっても、フェイス部２０が一対の風向誘導壁４０、４０におけるそれぞれの誘導面４１、４１によって形成される通気路３を有するので、気流を通気路３に沿わせて安定させることができる。すなわち、角型グリル１は、高い意匠性と壁面汚れの防止機能とを併有している。
【００５６】
誘導面４１は、前壁部２２に直交するＹ方向の投影、すなわち背面視において差込筒１２と外接するように位置していても良い。誘導面４１がこのような位置関係であることで、差込筒１２から前壁部２２の方向（Ｙ方向）に進んできた気流が通気開口２１の側に方向（Ｘ方向及びＺ方向）を変えた際に誘導面４１に案内されて滑らかに流れるので、乱流を効果的に抑制することができる。よって、角型グリル１は、通気開口２１を介してフェイス部２０の外部へと気流を滑らかに送ることができる。
【００５７】
本実施形態のフェイス部２０は、前壁部２２の裏面側に、通気開口２１と、整流フィン３０と、風向誘導壁４０とを備える構成である。フェイス部２０は、通気開口２１に向かう傾斜面３４を有する整流フィン３０を備えるので、気流を整流フィン３０の傾斜面３４に沿わせて流すことができる。さらに、フェイス部２０は、風向誘導壁４０を備えるので、差込筒１２からフェイス部２０に流れ込む気流を風向誘導壁４０に沿わせて流すことで、整流フィン３０に受け流すことができる。これによって、フェイス部２０は、角型グリル１から吹き出す気流を安定させることができる。
【００５８】
このように、整流フィン３０と風向誘導壁４０とを備えるフェイス部２０によれば、角型グリル１から吹き出す気流を建物の壁面Ｗから遠ざけるように吹き出すことができ、換気性能を向上させることができる。よって、角型グリル１の周辺位置において、粉塵や油煙等の混入した気流が接触することによって生じる壁面汚れを防止することができる。
【００５９】
フェイス部２０は、「スリット」としての上下スリット５１、５１及び左右スリット５２、５２を有している。上下スリット５１、５１及び左右スリット５２、５２は、通気孔Ｈとフェイス部２０の外部とを連通する機能を有している。言い換えると、上下スリット５１、５１及び左右スリット５２、５２は、整流フィン３０と前壁部２２の内面との間を流れる気流を外部に吹き出す機能を有している。上下スリット５１、５１は、前壁部２２に開口する孔であるのに対し、左右スリット５２、５２は、整流フィン３０と前壁部２２の内面との間に設けられた開口である。上下スリット５１、５１及び左右スリット５２、５２は、図１等で示すように、長方形状の前壁部２２の４辺にそれぞれ沿うようにして形成されている。
【００６０】
前壁部２２のＺ方向における上及び下に形成されている上下スリット５１、５１は、前壁部２２の上辺及び下辺の近くで前壁部２２をＹ方向に貫通するようにしてＸ方向に細長く伸長するように形成されている。上下スリット５１、５１をなす孔は、前壁部２２に開口しているので、フェイス部２０の前壁部２２から気流を吹き出すことができる。よって、角型グリル１は、前壁部２２に上下スリット５１、５１を有することで、建物の壁面Ｗから遠ざけるように気流を吹き出すことができる。
【００６１】
前壁部２２のＸ方向における左及び右に形成されている左右スリット５２、５２は、前壁部２２と整流フィン３０との左端及び右端において前壁部２２と整流フィン３０との間を抜けるようにしてＺ方向に伸長するように形成されている。左右スリット５２、５２は、整流フィン３０と前壁部２２の内面との間における開口として設けられているので、特に整流フィン３０の外縁３１において渦や乱流等を生じさせる角部や段差等が存在しない構成とすることが容易にできる。したがって、左右スリット５２、５２から吹き出す気流を傾斜面３４に沿った揃った流れとすることができる。左右スリット５２、５２は、上下スリット５１、５１よりも幅広く形成されている。
【００６２】
フェイス部２０は、整流フィン３０がドーム状ではなく内縁３２を有して開口部３３で開口しているため、前壁部２２と整流フィン３０との間にも気流が入り込む。仮に、フェイス部２０が上下スリット５１、５１や左右スリット５２、５２を有していない場合には、前壁部２２と整流フィン３０との間に入り込んだ気流が行き場を失って、渦や乱流を発生させてしまう。
【００６３】
しかしながら、フェイス部２０では、通気孔Ｈからの流路の行き止まりとなっている整流フィン３０と前壁部２２の内面との間が上下スリット５１、５１及び左右スリット５２、５２によってフェイス部２０の外部に開口している。したがって、整流フィン３０と前壁部２２の内面との間に流れ込む気流をなるべく乱流が起きないように速やかにフェイス部２０の外部に排出できる。このように、フェイス部２０では、通気開口２１に加えて上下スリット５１、５１及び左右スリット５２、５２からも気流がフェイス部２０の外部に排出されるため、圧力損失を低減させることができ、換気性能を向上させることができる（図４及び図５参照）。
【００６４】
フェイス部２０は、１つの通気開口２１と、隣接する上下スリット５１、５１及び左右スリット５２、５２の内の１つとを一連で塞ぐ「蓋」としての上下蓋６０、６０及び左右蓋７０、７０を有している。上下蓋６０、６０及び左右蓋７０、７０は、通気開口２１及び上下スリット５１並びに通気開口２１及び左右スリット５２を塞いで通気路３を閉鎖する部品である。図７で示すように、上下蓋６０、６０及び左右蓋７０、７０が着脱されることで、フェイス部２０から吹き出される気流の方向を選択することができる。例えばＺ方向における上方の通気開口２１を塞ぐことで気流が身体に直接当たることを防ぐことができ、居住者等が不快と感じることを防ぐことができる。
【００６５】
上下蓋６０は、前壁部２２と、上壁部２４及び下壁部２６の一方とにまたがって取り付けられる。左右蓋７０は、前壁部２２と、側壁部２５、２５の一方とにまたがって取り付けられる。このため、上下蓋６０、６０及び左右蓋７０、７０は、それぞれ図８及び図９で示すように、いずれも長方形状の板面の長辺に沿ってＬ字状に折れ曲がった形状を有している。そして、上下蓋６０、６０及び左右蓋７０、７０は、図７で示すように、いずれも面積がより小さい側であるＬ字状の一方の内面が前壁部２２と接するようにして取り付けられる。
【００６６】
上下蓋６０は、図８（ａ）で示すように、一方の内面に支持爪６１と、位置規制片６２とを有し他方の内面に外れ止め部６３を有している。支持爪６１は、側面視でＬ字状に形成されている。支持爪６１は、上下スリット５１に差し込まれる部位である。位置規制片６２は、側面視で台形状に形成されている。位置規制片６２は、上下スリット５１、５１に差し込まれる部位である。位置規制片６２は、支持爪６１が上下スリット５１に差し込まれた上で外れ止め部６３を軸として回転した際に上下スリット５１の縁に当たり、上下蓋６０が回転して外れることを防ぐ機能を有している。
【００６７】
外れ止め部６３は、側面視で三角形状に形成されており、他方の面と接する１つの角部が欠落した形状を有している。外れ止め部６３は、通気開口２１のＹ方向における後側に差し込まれる部位である。外れ止め部６３は、通気開口２１に差し込まれると、欠落した角部が通気開口２１の縁と嵌合するように構成されている。
【００６８】
左右蓋７０は、上下蓋６０と同様に、図９（ａ）で示すように、一方の内面に支持爪７１と、位置規制片７２とを有し他方の内面に外れ止め部７３を有している。支持爪７１は、図９（ｂ）で示すように、側面視で角樋状（角のあるＵ字状）に形成されている。支持爪７１は、左右スリット５２に差し込まれる部位である。位置規制片７２は、側面視で台形状に形成されている。位置規制片７２は、左右蓋７０のＺ方向におけるずれを防止する機能を有している。
【００６９】
外れ止め部７３は、側面視で三角形状に形成されており、他方の面と接する１つの角部が欠落した形状を有している。外れ止め部６３は、外れ止め部７３と同様の機能を有している。
【００７０】
角型グリル１は、上下蓋６０及び左右蓋７０によって角型グリル１における所望の方向の通気を容易に遮断することができる。これによって、通気を遮断した方向については、気流が壁面Ｗと接触しないため、壁面汚れを防止することができる。角型グリル１は、上下スリット５１や左右スリット５２と通気開口２１とを塞いだ場合でも、塞がっていない他の通気開口２１や上下スリット５１、左右スリット５２を通じてフェイス部２０の外部に気流を排出できるため、乱流が発生することを防ぐことができる。さらに、１つの上下蓋６０が通気開口２１と上下スリット５１とを対で塞ぎ、１つの左右蓋７０が通気開口２１と左右スリット５２とを対で塞ぐように構成されているので、部品点数を減らすことができる。
【００７１】
角型グリル１の骨格をなすベース部１０、フェイス部２０や、これらに取り付けられる翼体１５、上下蓋６０、左右蓋７０等は、樹脂材料によって形成されている。しかしながら、本実施形態の角型グリル１のベース部１０等は、樹脂材料に限らず、金属等によって形成されていてもかまわない。
【００７２】
第２実施形態〔図１０〜図１３〕
【００７３】
以下、本発明の「換気口カバー」の第２実施形態としての丸型ベントキャップ１０１について図面を参照しつつ説明する。ここでは、丸型ベントキャップ１０１が屋外に取り付けられる例について記載し、Ｙ方向については前側を屋外側とし、後側を建物の内部空間（屋内）側として説明する。しかしながら、これらの記載は、丸型ベントキャップ１０１の使用方法や取付け場所等を限定するものではない。
【００７４】
丸型ベントキャップ１０１
【００７５】
丸型ベントキャップ１０１は、建物の壁等に形成された通気孔Ｈに取り付けられ、気流を通過させながら、雨水の浸入や、虫の侵入等を防ぐ設備である。丸型ベントキャップ１０１は、例えば建物の内部空間の汚れた空気を屋外に排出するために屋外に設けられる。丸型ベントキャップ１０１は、図１０等で示すように、ベース部１１０と、フェイス部１２０とを備えている。
【００７６】
ベース部１１０は、通気孔Ｈに対応して丸型ベントキャップ１０１を建物の壁等に取り付けるための部位である（図１２参照）。ベース部１１０は、背面板１１１と、差込筒１１２とを有している。丸型ベントキャップ１０１の背面板１１１は、図１０で示すように、ＸＺ平面に沿って伸長し、正面視で円形状の板面を有する平板状に形成されている。背面板１１１には、Ｙ方向に板面を貫通する円形状の開口部１１３が形成されている。開口部１１３は、背面板１１１と互いに同芯とされている。差込筒１１２の内部（円筒状の内周側）には、差込筒１１２のＹ方向における前端と後端との間に伸長する円柱状の空間である通気路１０２が形成されている。
【００７７】
フェイス部１２０は、通気孔Ｈとの対向位置でベース部１１０の開口部１１３と対向して位置することで、差込筒１１２の内部を通過した気流の進行方向を変えるための部位である。フェイス部１２０は、「前面部」と、通気開口１２１と、整流フィン１３０と、風向誘導壁１４０とを備えている。これらの構成を有するフェイス部１２０は、丸型ベントキャップ１０１から排出する気流を壁面Ｗに沿わないようにすることができる（図１２参照）。よって、丸型ベントキャップ１０１は、その周辺位置において、粉塵や油煙等の混入した気流との接触を起因とする壁面汚れを防止することができる。
【００７８】
フェイス部１２０は、図１２で示すように、Ｙ方向における後方が開放した中空の円錐台状に形成されている。「前面部」を形成する前壁部１２２は、丸型ベントキャップ１０１のＹ方向における前端に位置している。前壁部１２２は、ベース部１１０の背面板１１１と同様に、図１０で示すように、ＸＺ平面に沿って伸長し、正面視で円形状の板面を有する平板状に形成されている。前壁部１２２は、開口部１１３の全面を覆う広がりを有している。前壁部１２２は、通気孔Ｈと対向するようにベース部１１０のＹ方向における前方に位置している。そして、前壁部１２２は、図１１及び図１２で示すように、正面視で背面板１１１よりも僅かに小さな寸法で形成されている。
【００７９】
フェイス部１２０とベース部１１０の背面板１１１とは、Ｙ方向に伸長する丸棒１２３によって連結されている。フェイス部１２０及び背面板１１１には、図１３で示すように、４本の丸棒１２３、１２３、１２３、１２３が周方向に等間隔に配置されている。
【００８０】
前壁部１２２と交差する「側面部」には、通気開口１２１が形成されている。通気開口１２１は、前壁部１２２と背面板１１１との間で周回状に全周に亘って形成されている。通気開口１２１は、通気孔Ｈとフェイス部１２０の外部とを連通している。通気開口１２１は、前壁部１２２と交差する「側面部」に形成されることで、差込筒１１２の内部を通過した気流の進行方向を変えることができる。より具体的には、通気開口１２１は、通気孔Ｈ及び差込筒１１２を介してＹ方向における前方に向かってフェイス部１２０に進行してきた気流をＸ方向における左右及びＺ方向における上下に向かうように変えることができる。したがって、丸型ベントキャップ１０１は、図１２で示すように、差込筒１１２を通過した空気が丸型ベントキャップ１０１の上下左右に抜けるようにして屋外に排出されるように構成されている。
【００８１】
整流フィン１３０は、中空の円錐台状の板状部材によって構成されている。整流フィン１３０は、気流の進行方向の角度を調整する機能を有している。整流フィン１３０は、図１１及び図１２で示すように、開口部１１３、すなわちＹ方向における後方に向かって突出するように配置されている。整流フィン１３０は、図１３で示すように、背面視で外周側の外縁１３１と、内周側の内縁１３２との間で伸長している。そして、外縁１３１は、前壁部１２２の内側、すなわち背面側に位置しており、内縁１３２は、ベース部１１０と前壁部１２２との間に位置している（図１２等参照）。
【００８２】
丸型ベントキャップ１０１は、外縁１３１及び内縁１３２の双方が、差込筒１１２に対応する形状として円形とされている。フェイス部１２０の裏面には、図１３で示すように、内縁１３２が外周となるように開口した開口部１３３が形成されている。このように、整流フィン１３０の内縁１３２が差込筒１１２に対応する形状であるので、差込筒１１２からフェイス部１２０に流れ込む気流を整流フィン１３０の傾斜面１３４に効果的に誘導することができる。
【００８３】
仮に、フェイス部１２０が、整流フィン１３０とは異なり、円錐台状の頂部も有する円錐状の構成を備えている場合、すなわち、内縁１３２を有していない場合には、頂部がベース部１１０の側により突出してしまうため、装置がより大型化してしまう。これに対し、内縁１３２を有する整流フィン１３０を備えるフェイス部１２０は、少なくとも頂部が欠如する分だけＹ方向における長さが短くなる。したがって、フェイス部１２０は、前壁部１２２の内側から伸長する整流フィン１３０の内縁１３２をベース部１１０との間までで収まるように位置させることが容易な構成であり、丸型ベントキャップ１０１をより小型化することができる。
【００８４】
整流フィン１３０は、通気開口１２１に向かう傾斜面１３４を有している。傾斜面１３４は、内縁１３２から外縁１３１に向かって背面視で整流フィン１３０の外周側に向かって進むのに対して一定の割合でＹ方向における前方に進むように傾斜している。すなわち、傾斜面１３４は、図１１及び図１２で示すように、前壁部１２２と交差する方向からみると、直線状に形成されている。そして、傾斜面１３４の先には、通気開口１２１が位置している。したがって、フェイス部１２０が、通気開口１２１に向かう傾斜面１３４を有する整流フィン１３０を備えるので、気流を整流フィン１３０の傾斜面１３４に沿わせることができる。そして、整流フィン１３０の外縁１３１が前壁部１２２の内側に位置しているので、傾斜面１３４に沿って流れる気流を通気開口１２１からフェイス部１２０の外部に、傾斜面１３４に沿って建物の壁面Ｗから遠ざかる方向に吹き出させることができる。
【００８５】
風向誘導壁１４０は、図１１及び図１２で示すように、前壁部１２２の背面側の領域において、ベース部１１０、すなわちＹ方向における後方に向かって突出するように設けられた板状部材である。風向誘導壁１４０は、誘導面１４１を有している。そして、風向誘導壁１４０の誘導面１４１は、通気孔Ｈからの気流を整流フィン１３０の上に誘導する機能を有している。
【００８６】
風向誘導壁１４０は、図１１、図１２及び図１３で示すように、整流フィン１３０の上（背面）に設けられている。風向誘導壁１４０が整流フィン１３０に直結しているので、周囲の構造や気流等の影響を受けることなく、風向誘導壁１４０に沿った流れとなって安定した気流を速やかに整流フィン１３０に受け流すことができる。風向誘導壁１４０は、図１３で示すように、背面視で板面が四半円弧状に湾曲しており、その外面の側が誘導面１４１である。そして、誘導面１４１は、背面視でフェイス部１２０の中心側に面している。誘導面１４１は、一端及び他端がそれぞれ隣り合う通気開口１２１、１２１の方向に伸長するように配置されている。そして、一端と他端との中間の部位が整流フィン１３０の内縁１３２の付近に配置されている。すなわち、誘導面１４１は、整流フィン１３０の内縁１３２の側から隣り合う通気開口１２１、１２１の側に向かってそれぞれ伸長している。
【００８７】
整流フィン１３０には、図１３で示すように、周方向に等間隔に位置する４本の丸棒１２３、１２３、１２３、１２３に対応して４つの風向誘導壁１４０、１４０、１４０、１４０が配置されている。すなわち、４つの風向誘導壁１４０、１４０、１４０、１４０のそれぞれは、誘導面１４１とは反対側である裏面が４本の丸棒１２３、１２３、１２３、１２３と対向するように配置されている。そして、隣り合う一対の風向誘導壁１４０、１４０におけるそれぞれの誘導面１４１、１４１の間には、通気路１０３が形成されている。丸型ベントキャップ１０１は、丸棒１２３が通気路１０３から外れるように配置されることで、整流フィン１３０の上で乱流が生じにくい構成とされている。
【００８８】
誘導面１４１は、一端及び他端がそれぞれ隣り合う通気開口１２１、１２１の方向に伸長している。したがって、通気路１０３は、内縁１３２から通気開口１２１に向かってその幅が漸減して絞られるように形成されている。
【００８９】
このように、フェイス部１２０においては、通気路１０３の幅が気流の進行方向で絞られることによって気流の方向性を調整することができる。よって、丸型ベントキャップ１０１は、フェイス部１２０が一対の風向誘導壁１４０、１４０におけるそれぞれの誘導面１４１、１４１によって形成される通気路１０３を有するので、気流を通気路１０３に沿わせて安定させることができる。
【００９０】
誘導面１４１は、前壁部１２２に直交するＹ方向の投影、すなわち背面視において差込筒１１２と外接するように位置していても良い。誘導面１４１がこのような位置関係とされることで、差込筒１１２から前壁部１２２の方向（Ｙ方向）に進んできた気流が通気開口１２１の側に方向（Ｘ方向及びＺ方向）を変えた際に誘導面１４１に案内されるようにして滑らかに流れる。このため、乱流を効果的に抑制することができる。よって、丸型ベントキャップ１０１は、通気開口１２１を介してフェイス部１２０の外部へと気流を滑らかに送ることができる。
【００９１】
本実施形態のフェイス部１２０は、前壁部１２２の裏面側に、通気開口１２１と、整流フィン１３０と、風向誘導壁１４０とを備える構成である。フェイス部１２０は、通気開口１２１に向かう傾斜面１３４を有する整流フィン１３０を備えるので、気流を整流フィン１３０の傾斜面１３４に沿わせることができる。さらに、フェイス部１２０は、風向誘導壁１４０を備えるので、風向誘導壁１４０に沿った流れとなって安定した気流を整流フィン１３０に受け流すことができる。このように、整流フィン１３０と風向誘導壁１４０とを備えるフェイス部１２０によれば、気流を壁面Ｗに沿わないようにすることができる。よって、丸型ベントキャップ１０１の周辺位置において、粉塵や油煙等の混入した気流が接触することによって生じる壁面汚れを防止することができる。
【００９２】
フェイス部１２０は、スリット１５０、１５０、１５０、１５０を有している。スリット１５０、１５０、１５０、１５０は、通気孔Ｈとフェイス部１２０の外部とを連通する機能を有している。言い換えると、スリット１５０、１５０、１５０、１５０は、整流フィン１３０と前壁部１２２の内面との間を流れる気流を外部に吹き出す機能を有している。スリット１５０、１５０、１５０、１５０は、前壁部１２２に開口する孔である。スリット１５０、１５０、１５０、１５０は、図１０で示すように、円形状の前壁部１２２の外周にそれぞれ沿うようにして形成されている。スリット１５０、１５０、１５０、１５０は、前壁部１２２の外周の近くで前壁部１２２をＹ方向に貫通するようにして周方向に細長く伸長するように形成されている。
【００９３】
フェイス部１２０は、整流フィン１３０がドーム状ではなく内縁１３２を有して開口しているため、前壁部１２２と整流フィン１３０との間にも気流が入り込む。仮に、フェイス部１２０がスリット１５０、１５０、１５０、１５０を有していない場合には、前壁部１２２と整流フィン１３０との間に入り込んだ気流が行き場を失って、渦や乱流を発生させてしまう。
【００９４】
しかしながら、フェイス部１２０では、通気孔Ｈからの流路の行き止まりとなっている整流フィン１３０と前壁部１２２との間がスリット１５０、１５０、１５０、１５０によってフェイス部１２０の外部に開口している。したがって、整流フィン１３０と前壁部１２２との間に流れ込む気流をなるべく乱流が起きないように速やかにフェイス部１２０の外部に排出できる。このように、フェイス部１２０では、通気開口１２１に加えてスリット１５０、１５０、１５０、１５０からも気流がフェイス部１２０の外部に排出されるため、圧力損失を低減させることができ、換気性能を向上させることができる（図１２参照）。
【００９５】
フェイス部１２０は、通気開口１２１を部分的に塞ぐ「蓋」を有していても良い。さらに、この「蓋」は、上述の上下蓋６０及び左右蓋７０のように、通気開口１２１とスリット１５０とを一連で塞ぐように構成されていても良い。「蓋」が着脱されることで、フェイス部１２０から吹き出される気流の方向を例えば上下左右で選択することができる。
【００９６】
丸型ベントキャップ１０１は、金属材料によって形成されている。しかしながら、本実施形態の丸型ベントキャップ１０１は、金属材料に限らず、樹脂等によって形成されていてもかまわない。
【００９７】
他の適用例〔図１４〕
【００９８】
本発明の「換気口カバー」は、給気電動シャッタ２００に適用することもできる。給気電動シャッタ２００は、差込筒２１２を開閉する翼体等のシャッタ機構と、シャッタ機構を開閉する駆動機構と、駆動機構を収容する下カバー２８０と、下カバー２８０と嵌合して差込筒２１２を全面に亘って覆う上カバー２９０とを備えている。本発明の「換気口カバー」は、上カバー２９０に適用される。そして、給気電動シャッタ２００においても、整流フィン３０と風向誘導壁４０とを備えるフェイス部２０によって、気流を壁面Ｗに沿わないようにすることができる。さらに、給気電動シャッタ２００には、上下スリット５１及び左右スリット５２を設けることもできる。これによって、給気電動シャッタ２００の換気性能を向上させることができる。
【実施例】
【００９９】
以下に、実施例を示して、本発明の「換気口カバー」をより詳細、かつ具体的に説明する。しかしながら、本発明は、以下の実施例に限定されるものではない。
【０１００】
比較例１〔図１５〕
【０１０１】
比較例１として、第１実施形態の整流フィン３０及び風向誘導壁４０並びに上下スリット５１及び左右スリット５２をいずれも備えていない角型のグリルをモデル化した。シミュレーションでは、グリルの差込筒１２に対して風を送り通気開口２１から排出される気流の方向を可視化し、気流方向性の良否を判定した。他の実施例及び比較例においても同じ条件で気流方向性の良否を判定した。比較例１における気流分布のシミュレーション結果を図１５に示し、気流方向性の評価を表１に示している。
【０１０２】
ここで、表１において、「整流フィン及び風向誘導壁」並びに「上下スリット及び左右スリット」の項目の「○」は、これらの構成を有していることを示している。さらに、気流方向性の評価について、「○」は、「気流が壁から離れて、綺麗に四方向に吹き出す」ことを示し、「×」は、「気流が壁を這う」ことを示している。
【０１０３】
実施例１〔図１６〕
【０１０４】
実施例１として、第１実施形態の整流フィン３０及び風向誘導壁４０を備えた角型グリル１をモデル化した。実施例１の角型グリル１においては、上下スリット５１及び左右スリット５２をいずれも備えていない構成とした。実施例１における気流分布のシミュレーション結果を図１６に示し、気流方向性の評価を表１に示している。
【０１０５】
実施例２〔図１７〕
【０１０６】
実施例２として、第１実施形態の整流フィン３０及び風向誘導壁４０並びに上下スリット５１及び左右スリット５２を全て備えた角型グリル１をモデル化した。実施例１及び実施例２においては、通気開口２１における風量［ｍ３／ｈ］を演算によって求めた。実施例２における気流分布のシミュレーション結果を図１７に示し、気流方向性及び風量［−］の評価を表１に示している。実施例２の風量とは、実施例１を１００％としたときの相対値（％）で示している。
【０１０７】
比較例２〔図１８〕
【０１０８】
比較例２として、第２実施形態の整流フィン１３０及び風向誘導壁１４０並びにスリット１５０（上下及び左右）をいずれも備えていない丸型のベントキャップをモデル化した。シミュレーションでは、ベントキャップの差込筒１１２に対して風を送り通気開口１２１から排出される気流の方向を可視化し、気流方向性の良否を判定した。比較例２における気流分布のシミュレーション結果を図１８に示し、気流方向性の評価を表１に示している。
【０１０９】
実施例３〔図１９〕
【０１１０】
実施例３として、第２実施形態の整流フィン１３０及び風向誘導壁１４０を備えた丸型ベントキャップ１０１をモデル化した。実施例３の丸型ベントキャップ１０１においては、スリット１５０を上下及び左右ともに備えていない構成とした。実施例３における気流分布のシミュレーション結果を図１９に示し、気流方向性の評価を表１に示している。
【０１１１】
実施例４〔図２０〕
【０１１２】
実施例４として、第２実施形態の整流フィン１３０及び風向誘導壁１４０並びにスリット１５０（上下左右とも）を全て備えた丸型ベントキャップ１０１をモデル化した。実施例３及び実施例４においても、通気開口１２１における風量［ｍ３／ｈ］を演算によって求めた。実施例４における気流分布のシミュレーション結果を図２０に示し、気流方向性及び風量［−］の評価を表１に示している。実施例４の風量とは、実施例３を１００％としたときの相対値（％）で示している。
【０１１３】
【表１】
2020003101.tif 000003
【０１１４】
シミュレーション結果
【０１１５】
図１５〜図１７及び表１で示すように、整流フィン３０及び風向誘導壁４０を備えていない比較例１では気流が壁を這うのに対し、整流フィン３０及び風向誘導壁４０を備えた実施例１及び実施例２では気流が壁から離れて、綺麗に四方向に吹き出すことが分かった。この傾向は、角型グリル１の比較例１、実施例１及び実施例２だけでなく、図１８〜図２０で示すように、丸型ベントキャップ１０１の比較例２、実施例３及び実施例４でも同様であった。この際に、実施例３において僅かに渦流が発生するものの、これは、問題ない水準であった。よって、角型グリル１は、整流フィン３０及び風向誘導壁４０を備えることで、丸型ベントキャップ１０１は、整流フィン１３０及び風向誘導壁１４０を備えることで、いずれも気流方向性が良好となることが分かった。
【０１１６】
上下スリット５１及び左右スリット５２を備えていない実施例１と比べて、これらを備えた実施例２では風量が１１６％とより多くなった。角型グリル１だけでなく、丸型ベントキャップ１０１でも同様に、スリット１５０（上下及び左右）を備えていない実施例３と比べて、これらを備えた実施例４では風量が１０８％とより多くなった。よって、角型グリル１は、前壁部２２に上下スリット５１及び左右スリット５２を有することで、丸型ベントキャップ１０１は、前壁部１２２にスリット１５０を有することで、いずれも風量が多くなることが分かった。
【符号の説明】
【０１１７】
１    角型グリル（換気口カバー）
２    通気路
３    通気路
１０    ベース部
１１    背面板
１２    差込筒
１３    開口部
１４    翼体取付板
１５    翼体
２０    フェイス部
２１    通気開口
２２    前壁部（前面部）
２３    入隅部
２４    上壁部（側面部）
２５    側壁部（側面部）
２６    下壁部（側面部）
２７    非開口部
３０    整流フィン
３１    外縁
３２    内縁
３３    開口部
３４    傾斜面
４０    風向誘導壁
４１    誘導面
５１    上下スリット（スリット）
５２    左右スリット（スリット）
６０    上下蓋（蓋）
６１    支持爪
６２    位置規制片
６３    外れ止め部
７０    左右蓋（蓋）
７１    支持爪
７２    位置規制片
７３    外れ止め部
１０１    丸型ベントキャップ（換気口カバー）
１０２    通気路
１０３    通気路
１１０    ベース部
１１１    背面板
１１２    差込筒
１１３    開口部
１２０    フェイス部
１２１    通気開口
１２２    前壁部（前面部）
１２３    丸棒
１３０    整流フィン
１３１    外縁
１３２    内縁
１３３    開口部
１３４    傾斜面
１４０    風向誘導壁
１４１    誘導面
１５０    スリット
２００    給気電動シャッタ
２１２    差込筒
２８０    下カバー
２９０    上カバー
Ｈ    通気孔Ｈ
Ｗ    壁面
【図１】
2020003101.tif 000004
【図２】
2020003101.tif 000005
【図３】
2020003101.tif 000006
【図４】
2020003101.tif 000007
【図５】
2020003101.tif 000008
【図６】
2020003101.tif 000009
【図７】
2020003101.tif 000010
【図８】
2020003101.tif 000011
【図９】
2020003101.tif 000012
【図１０】
2020003101.tif 000013
【図１１】
2020003101.tif 000014
【図１２】
2020003101.tif 000015
【図１３】
2020003101.tif 000016
【図１４】
2020003101.tif 000017
【図１５】
2020003101.tif 000018
【図１６】
2020003101.tif 000019
【図１７】
2020003101.tif 000020
【図１８】
2020003101.tif 000021
【図１９】
2020003101.tif 000022
【図２０】
2020003101.tif 000023
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
建物の壁に形成された通気孔に差し込む差込筒を有するベース部と、
前記ベース部の前方に位置するフェイス部とを備える換気口カバーにおいて、
前記フェイス部は、
前記ベース部と対向する前面部と、
前記前面部と交差する側面部に形成され、前記通気孔と前記フェイス部の外部とを連通する通気開口と、
外縁が前記前面部の内側に位置して内縁が前記ベース部と前記前面部との間に位置し、前記通気開口に向かう傾斜面を有する整流フィンと、
前記整流フィンと前記ベース部との間に設けられ、前記差込筒から吹き出す気流を前記整流フィンの前記傾斜面に誘導する誘導面を有する複数の風向誘導壁とを備え、
前記通気開口を挟むように一対の前記風向誘導壁が前記整流フィンの前記傾斜面に配置されており、
前記一対の前記風向誘導壁の一対の前記誘導面は、前記内縁側から前記通気開口に向けて狭窄する通気路を形成することを特徴とする換気口カバー。
【請求項２】
前記フェイス部は、前記整流フィンと前記前面部の内面との間を流れる気流を前記外部に吹き出すスリットを有する
請求項１記載の換気口カバー。
【請求項３】
前記スリットは、前記整流フィンと前記前面部の内面との間に設けた開口である
請求項２記載の換気口カバー。
【請求項４】
前記スリットは、前記前面部に開口する孔である
請求項２記載の換気口カバー。
【請求項５】
前記整流フィンの前記内縁は、前記差込筒の筒端と対応する形状である
請求項１〜請求項４いずれか１項記載の換気口カバー。
【請求項６】
前記フェイス部は、隣接する一対の前記風向誘導壁における前記誘導面の間に前記フェイス部から特定の一方向に吹き出す通気路を有する
請求項１〜請求項５いずれか１項記載の換気口カバー。
【請求項７】
前記前面部は、外縁に入隅部を有し、前記誘導面は、前記入隅部に対応して配置される
請求項１〜請求項６いずれか１項記載の換気口カバー。
【請求項８】
前記通気開口と前記スリットとを一連で塞ぐ蓋を有する
請求項２〜請求項４いずれか１項記載の換気口カバー。